(57)【特許請求の範囲】
【請求項１】
床構造体の上部に壁パネル又は柱を立設してなる建物の据付構造において、
床構造体の下部に第一の床金物が格納され、
床構造体の構造材の上面にボルト付き座金の座金部を添設し、該座金部から下方に延在されたボルト部を前記第一の床金物に緊結し、
床構造体の下部に第二の床金物が格納され、
壁パネル又は柱の垂直面に引き寄せ金物が取り付けられ、該引き寄せ金物を前記第二の床金物にボルトにより緊結して床構造体の上部にパネル又は柱が立設され、
基礎に植設してあるアンカーボルトを、前記第一の床金物と第二の床金物のうち少なくとも第一の床金物に緊結してなることを特徴とする建物の据付構造。
【請求項２】
床構造体の上部に壁パネル又は柱を立設してなる建物ユニットにおいて、
床構造体の下部に、第一の床金物が格納され、
床構造体の構造材の上面にボルト付き座金の座金部を添設し、該座金部から下方に延在されたボルト部を前記第一の床金物に緊結してなり、
床構造体の下部に第二の床金物が格納され、
壁パネル又は柱の垂直面に引き寄せ金物が取り付けられ、該引き寄せ金物をボルトにより前記第二の床金物に緊結して床構造体の上部に壁パネル又は柱を立設してなり、
前記第一の床金物と第二の床金物とを、基礎に植設してあるアンカーボルトを緊結可能に形成したことを特徴とする建物ユニット。
【請求項３】
請求項２に記載の建物ユニットを基礎に据付けてなるユニット建物であって、
基礎に植設してあるアンカーボルトが、前記第一の床金物と第二の床金物のうち少なくとも第一の床金物に緊結されてなることを特徴とするユニット建物。
【請求項４】
請求項３に記載のユニット建物に用いられる第一の床金物及び第二の床金物であって、
建物ユニットの床構造体の内部に格納され、該建物ユニットの床構造体の構造材の上面に添設されたボルト付き座金のボルト部のための上支持部と、基礎に植設してあるアンカーボルトのための下支持部とを備えてなることを特徴とする第一の床金物と、
該建物ユニットの床構造体の上部に立設される壁パネル又は柱を固定するボルトのための上支持部と、基礎に植設してあるアンカーボルトのための下支持部とを備えてなることを特徴とする第二の床金物。
【発明の詳細な説明】
【０００１】
【発明の属する技術分野】
本発明は、建物の据付構造、建物ユニット及びユニット建物並びに床金物に関する。
【０００２】
【従来の技術】
従来、床パネルの上部に壁パネルを立設してなる建物ユニットが用いられている。この建物ユニットを基礎の上に据付けるに際しては、特公平５−３８１０２号公報に記載の如く、基礎に植設してあるアンカーボルトを床パネルの土台（下枠）に貫通し、該土台に緊結することとしている。
【０００３】
【発明が解決しようする課題】
しかしながら、従来技術では、建物ユニットと基礎との接合構造が、基礎側のアンカーボルトを床パネルの土台に緊結することのみにより構成されているから、接合強度の向上に限界がある。
【０００４】
本発明の課題は、建物ユニット等の建物と基礎との接合強度を向上することにある。
【０００５】
【課題を解決するための手段】
請求項１に記載の本発明は、床構造体の上部に壁パネル又は柱を立設してなる建物の据付構造において、床構造体の下部に第一の床金物が格納され、床構造体の構造材の上面にボルト付き座金の座金部を添設し、該座金部から下方に延在されたボルト部を前記第一の床金物に緊結し、床構造体の下部に第二の床金物が格納され、壁パネル又は柱の垂直面に引き寄せ金物が取り付けられ、該引き寄せ金物を前記第二の床金物にボルトにより緊結して床構造体の上部にパネル又は柱が立設され、基礎に植設してあるアンカーボルトを、前記第一の床金物と第二の床金物のうち少なくとも第一の床金物に緊結してなるようにしたものである。
【０００６】
請求項２に記載の本発明は、床構造体の上部に壁パネル又は柱を立設してなる建物ユニットにおいて、床構造体の下部に、第一の床金物が格納され、床構造体の構造材の上面にボルト付き座金の座金部を添設し、該座金部から下方に延在されたボルト部を前記第一の床金物に緊結してなり、床構造体の下部に第二の床金物が格納され、壁パネル又は柱の垂直面に引き寄せ金物が取り付けられ、該引き寄せ金物をボルトにより前記第二の床金物に緊結して床構造体の上部に壁パネル又は柱を立設してなり、前記第一の床金物と第二の床金物とを、基礎に植設してあるアンカーボルトを緊結可能に形成したものである。
【０００７】
請求項３に記載の本発明は、請求項２に記載の建物ユニットを基礎に据付けてなるユニット建物であって、基礎に植設してあるアンカーボルトが、前記第一の床金物と第二の床金物のうち少なくとも第一の床金物に緊結されてなるようにしたものである。
【０００８】
請求項４に記載の本発明は、請求項３に記載のユニット建物に用いられる第一の床金物及び第二の床金物であって、建物ユニットの床構造体の内部に格納され、該建物ユニットの床構造体の構造材の上面に添設されたボルト付き座金のボルト部のための上支持部と、基礎に植設してあるアンカーボルトのための下支持部とを備えてなることを特徴とする第一の床金物と、該建物ユニットの床構造体の上部に立設される壁パネル又は柱を固定するボルトのための上支持部と、基礎に植設してあるアンカーボルトのための下支持部とを備えてなることを特徴とする第二の床金物とを備えてなるようにしたものである。
【０００９】
請求項１に記載の本発明によれば下記（１）の作用がある。
（１）建物を基礎に据付けるに際し、基礎側のアンカーボルトが床構造体に格納してある第一の床金物に緊結される。そして、第一の床金物は、床構造体の構造材の上面に添設されたボルト付き座金のボルト部に緊結され、床構造体の全体と強固に一体化されている。従って、アンカーボルトは、単に床構造体に接合されるものでなく、ボルト付き座金と緊結されて床構造体の全体と強固に一体化されている第一の床金物と緊結されるものであり、建物と基礎との接合強度を向上できる。また壁パネル及び柱を床構造体の上部に立設するに際し、壁パネル及び柱に取り付けられた引き寄せ金物が床構造体に格納してある第二の床金物に緊結される。そして、第二の床金物は、床構造体の構造材を挿通するボルトによって床構造体を抱きかかえる如く引き寄せ金物に緊結され、床構造体の全体と強固に一体化されている。従って、壁パネル及び柱は、単に床構造体に接合されるものでなく、第二の床金物と緊結されて床構造体の全体と強固に緊結されるものであり、床構造体と壁パネル及び柱との接合強度を向上できる。さらに第二の床金物は、第一の床金物と同様に基礎側のアンカーボルト部に緊結することができる。従って、壁パネル及び柱を立設する直下においてもアンカーボルトにより基礎と床構造体を緊結することができ、アンカーボルトの位置を壁パネル及び柱の位置とは無関係に設定することができる。
【００１０】
請求項２、３に記載の本発明によれば下記（２）の作用がある。
（２）建物ユニットを基礎に据付けるに際し、基礎側のアンカーボルトが床構造体に格納してある第一の床金物に緊結される。そして、第一の床金物は、床構造体の構造材の上面に添設されたボルト付き座金のボルト部に緊結され、床構造体の全体と強固に一体化されている。従って、アンカーボルトは、単に床構造体に接合されるものでなく、ボルト付き座金と緊結されて床構造体の全体と強固に一体化されている第一の床金物と緊結されるものであり、建物ユニットと基礎との接合強度を向上できる。また壁パネル及び柱を床構造体の上部に立設するに際し、壁パネル及び柱に取り付けられた引き寄せ金物が床構造体に格納してある第二の床金物に緊結される。そして、第二の床金物は、床構造体の構造材を挿通するボルトによって床構造体を抱きかかえる如く引き寄せ金物に緊結され、床構造体の全体と強固に一体化されている。従って、壁パネル及び柱は、単に床構造体に接合されるものでなく、第二の床金物と緊結されて床構造体の全体と強固に緊結されるものであり、床構造体と壁パネル及び柱との接合強度を向上できる。さらに第二の床金物は、第一の床金物と同様に基礎側のアンカーボルト部に緊結することができる。従って、壁パネル及び柱を立設する直下においてもアンカーボルトにより基礎と床構造体を緊結することができ、アンカーボルトの位置を壁パネル及び柱の位置とは無関係に設定することができる。
【００１１】
請求項４に記載の本発明によれば下記（３）の作用がある。
（３）第一の床金物に、建物ユニットの床構造体の構造材の上面に添設されたボルト付き座金のボルト部のための上支持部と、基礎に植設してあるアンカーボルトのための下支持部とを併せ備えるようにした。従って、床構造体に格納されている第一の床金物を用いることにより、建物ユニットと基礎との接合強度を向上できる。また第二の床金物に、該建物ユニットの床構造体の上部に立設される壁パネル又は柱を固定するボルトのための上支持部と、基礎に植設してあるアンカーボルトのための下支持部とを併せ備えるようにした。従って、床構造体に格納されている第二の床金物を用いることにより、建物ユニットと基礎との接合強度及び床構造体と壁パネル及び柱との接合強度を向上できるとともに、アンカーボルトの位置を任意に設定することができる。
【００１２】
【発明の実施の形態】
図１は建物ユニットと基礎との接合構造を示す模式図、図２は図１のII-II 線に沿う矢視図、図３は図１のIII-III 線に沿う矢視図、図４は第二の床金物を示す模式図、図５は引き寄せ金物を示す模式図、図６は第一の床金物を示す模式図、図７はボルト付き座金を示す模式図、図８はユニット建物と基礎との接合構造を示す模式図である。
【００１３】
（建物ユニット）（図１〜図７）
建物ユニット１０は、図１〜図３に示す如く、床構造体としての床パネル１１の上部に壁パネル２１を立設して構成される。
【００１４】
床パネル１１は、図１〜図３に示す如く、根太１２と端根太１３とを釘打ち及び／又は接着剤により接合した床枠組の下面に下枠１４を釘打ち及び／又は接着剤により取着され、該床枠組の上面に床面材１５を釘打ち及び／又は接着剤により取着されて構成される。
【００１５】
壁パネル２１は、図１〜図３に示す如く、下枠２２と縦枠２３と上枠２４（不図示）とを釘打ち及び／又は接着剤により接合した壁枠組の両面に外壁面材２５、内壁面材２６を釘打ち及び／又は接着剤により取着されて構成される。
【００１６】
そして、床パネル１１と壁パネル２１は、第二の床金物３１と引き寄せ金物４１とを用いて接合される。
【００１７】
第二の床金物３１は、図４に示す如く、２枚の側板３２、３２の上端部間に上支持部３３を溶接され、下端部間に下支持部３４を溶接されている。上支持部３３にはボルト孔３３Ａが、下支持部３４にはボルト孔３４Ａが設けられる。上支持部３３の下面には裏ナット３５が溶接されている。両側板３２、３２の前端部には止め板３６が溶接されている。第二の床金物３１は、床パネル１１における根太１２の下端側に設けた切欠部１２Ａに嵌め込まれ、両止め板３６、３６を切欠部１２Ａの両側の根太表面に当てられてこの止め板３６、３６を根太１２に釘打ちされることにより仮止めされる。切欠部１２Ａに嵌め込まれた第二の床金物３１の下面は、床パネル１１の下枠１４（土台）の下面と面一をなすようになっている。
【００１８】
引き寄せ金物４１は、図５に示す如く、壁パネル２１の縦枠２３の側面に添設される平板４２と、平板４２に溶接される支持板４３と、支持板４３を補強する補強板４４とを有する。平板４２にはボルト孔４２Ａが、支持板４３にはボルト孔４３Ａが設けられる。
【００１９】
従って、床パネル１１と壁パネル２１は、第二の床金物３１と引き寄せ金物４１を用いて以下の如くにより接合される。
（イ）床パネル１１の根太１２に設けた切欠部１２Ａに第二の床金物３１を嵌め込み格納し、止め板３６を根太１２に釘打ちすることにて第二の床金物３１を仮止めする。
【００２０】
（ロ）壁パネル２１の縦枠２３の側面に引き寄せ金物４１の平板４２をボルト４５により固定する。ボルト４５は縦枠２３に設けられているボルト挿通孔を外面側から挿通され、座金頭４５Ａを縦枠２３に釘打ちされて回り止めされ、平板４２のボルト孔４２Ａを貫通してナット４５Ｂで固定される。
【００２１】
（ハ）第二の床金物３１の上支持部３３と引き寄せ金物４１の支持板４３とをボルト３８により緊結する。ボルト３８は、第二の床金物３１の裏ナット３５に螺着された状態で、第二の床金物３１のボルト孔３３Ａ、床パネル１１の根太１２、床面材１５に設けたボルト挿通孔１２Ｂ、１５Ａ、壁パネル２１の下枠２２に設けたボルト挿通孔２２Ａ、引き寄せ金物４１の支持板４３のボルト孔４３Ａを挿通され、その挿通端にナット３８Ａを螺着される。
【００２２】
尚、ユニット建物１０において、引き寄せ金物４１は壁内、即ち壁パネル２１の壁面材２５、２６に挟まれる縦枠２３の側面に固定されるようになっている。そして、ユニット建物１０にあっては、工場生産段階で、上記（イ）〜（ハ）により床パネル１１と壁パネル２１とを接合した後、内壁面材２６を取着完了することとしている。
【００２３】
従って、建物ユニット１０によれば、以下の作用がある。建物ユニット１０において、床パネル１１の上部に壁パネル２１を立設するに際し、床パネル１１に格納した第二の床金物３１に固定したボルト３８と、壁パネル２１の縦枠２３の側面に固定した引き寄せ金物４１とを緊結することとした。従って、第二の床金物３１は、床パネル１１を抱きかかえる如くにして壁パネル２１の縦枠２３に固定した引き寄せ金物４１に緊結され、床パネル１１と壁パネル２１との接合強度を向上できる。
【００２４】
また、床パネル１１には、建物ユニット１０を基礎１に据付けるための第一の床金物３１Ａとボルト付き座金５１とが設けられている。
【００２５】
第一の床金物３１Ａは、図６に示す如く、前述した第二の床金物３１から、裏ナット３５、止め板３６を撤去したものである。即ち、第一の床金物３１Ａは、２枚の側板３２、３２の上端部間に上支持部３３を溶接され、下端部間に下支持部３４を溶接されている。上支持部３３にはボルト孔３３Ａが、下支持部３４にはボルト孔３４Ａが設けられる。第一の床金物３１Ａは、床パネル１１における根太１２の下端側に設けた切欠部１２Ｃに嵌め込まれ、切欠部１２Ｃに嵌め込まれた第一の床金物３１Ａの下面は、床パネル１１の下枠１４（土台）の下面と面一をなすようになっている。
【００２６】
ボルト付き座金５１は、図７に示す如く、座金部５２にボルト部５３を溶接して構成される。５４はナットである。
【００２７】
即ち、図１、図３に示す如く、床パネル１１の根太１２の上面に切欠部１２Ｄを設けるとともに、この切欠部１２Ｄから前述の第一の床金物３１Ａを嵌め込むための切欠部１２Ｃにまで貫通するボルト挿通孔１２Ｅを設ける。そして、ボルト付き座金５１のボルト部５３をボルト挿通孔１２Ｃに挿通し、座金部５２を切欠部１２Ｄに嵌め込み、座金部５２を根太１２の上面に釘打ちして仮止めしておく。そして、床パネル１１の根太１２の下端側に設けた切欠部１２Ｃに第一の床金物３１Ａを嵌め込み、第一の床金物３１Ａの上支持部３３のボルト孔３３Ａを上記ボルト付き座金５１のボルト部５３に嵌め、該ボルト部５３の先端部にナット５４を螺着することにて、第一の床金物３１Ａとボルト付き座金５１とを結合し、それらの第一の床金物３１Ａとボルト付き座金５１を床パネル１１の根太１２に一体化する。第一の床金物３１Ａの下支持部３４は基礎１のアンカーボルト２との緊結部として用いられるものとなる。
【００２８】
（建物ユニットと基礎との接合構造）（図１〜図３、図８）
図１〜図３のユニット建物１００は、上述の建物ユニット１０を基礎１の上に据付けて構築される。このとき、基礎１は建物ユニット１０の壁パネル２１における縦枠２３の位置と無関係な位置を、アンカーボルト２の標準位置として定めたものであり、本実施形態では、縦枠２３に固定した引き寄せ金物４１とボルト３８で緊結された第二の床金物３１がアンカーボルト２の位置から外れたものとなっている。このため、本実施形態の建物ユニット１０では、床パネル１１におけるアンカーボルト２に対応する位置に上述の第一の床金物３１Ａ、ボルト付き座金５１を設け、この第一の床金物３１Ａの下支持部３４にアンカーボルト２を緊結したものである。アンカーボルト２は、第一の床金物３１Ａの下支持部３４のボルト孔３４Ａを通って座金３、ナット４にて締結される。
【００２９】
尚、建物ユニット１０における壁パネル２１の縦枠２３に固定した引き寄せ金物４１とボルト３８で緊結された第二の床金物３１が、基礎１におけるアンカーボルト２の標準位置に対応するものであれば、この第二の床金物３１の下支持部３４にアンカーボルト２を緊結できる（図８）。
【００３０】
従って、ユニット建物１００によれば以下の作用がある。
（Ａ）建物ユニット１０を基礎１に据付けるに際し、基礎１側のアンカーボルト２が床パネル１１に格納してある第一の床金物３１Ａに緊結される。そして、第一の床金物３１Ａは、床パネル１１の根太１２の上面に添設されたボルト付き座金５１のボルト部５３に緊結され、床パネル１１の全体と強固に一体化される。従って、アンカーボルト２は、単に床パネル１１に接合されるものでなく、ボルト付き座金５１と緊結されて床パネル１１の全体と強固に一体化されている第一の床金物３１Ａと緊結されるものであり、建物ユニット１０と基礎１との接合強度を向上できる。
（Ｂ）壁パネル２１を床パネル１１の上部に立設するに際し、壁パネル２１に取り付けられた引き寄せ金物４１が床パネル１１に格納してある第二の床金物３１に緊結される。そして、第二の床金物３１は、床パネル１１の根太１２を挿通するボルト３８によって床パネル１１を抱きかかえる如く引き寄せ金物４１に緊結され、床パネル１１の全体と強固に一体化されている。従って、壁パネル２１は、単に床パネル１１に接合されるものでなく、第二の床金物３１と緊結されて床パネル１１の全体と強固に緊結されるものであり、床パネル１１と壁パネル２１との接合強度を向上できる。
【００３１】
（Ｃ）第一の床金物３１Ａは、建物ユニット１０の床パネル１１の根太１２の上面に添設されたボルト付き座金５１のボルト部５３のための上支持部３３と、基礎１に植設してあるアンカーボルト２のための下支持部３４とを併せ備えるようにした。従って、床パネル１１に格納されている第一の床金物３１Ａを用いることにより、建物ユニット１０と基礎１との接合強度を向上できる。
（Ｄ）第二の床金物３１は、建物ユニット１０の床パネル１１の上部に立設される壁パネル２１を固定するボルト３８のための上支持部３３と、基礎１に植設してあるアンカーボルト２のための下支持部３４とを併せ備えるようにした。従って、床パネル１１に格納されている第二の床金物３１を用いることにより、建物ユニット１０と基礎１との接合強度及び床パネル１１と壁パネル２１との接合強度を向上できるとともに、アンカーボルト２の位置を任意に設定することができる。
【００３２】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明の床金物とボルト付き座金とを用いる建物の接合構造は、床構造体を床梁とするもの、床構造体の上部に柱を立設するものにも適用できる。また、本発明の建物の接合構造は、ユニット建物に限らず、広く一般の建物にも適用できる。
【００３３】
【発明の効果】
以上のように本発明によれば、建物ユニット等の建物と基礎との接合強度を向上することができる。
【図面の簡単な説明】
【図１】図１は建物ユニットと基礎との接合構造を示す模式図である。
【図２】図２は図１のII-II 線に沿う矢視図である。
【図３】図３は図１のIII-III 線に沿う矢視図である。
【図４】図４は第二の床金物を示す模式図である。
【図５】図５は引き寄せ金物を示す模式図である。
【図６】図６は第一の床金物を示す模式図である。
【図７】図７はボルト付き座金を示す模式図である。
【図８】図８はユニット建物と基礎との接合構造を示す模式図である。
【符号の説明】
１ 基礎
２ アンカーボルト
１０ 建物ユニット
１１ 床パネル
２１ 壁パネル
２３ 縦枠
３１ 第二の床金物
３１Ａ 第一の床金物
３３ 上支持部
３４ 下支持部
５１ ボルト付き座金
５２ 座金部
５３ ボルト部
【図１】
0003761282.tif 000002
【図２】
0003761282.tif 000003
【図３】
0003761282.tif 000004
【図４】
0003761282.tif 000005
【図５】
0003761282.tif 000006
【図６】
0003761282.tif 000007
【図７】
0003761282.tif 000008
【図８】
0003761282.tif 000009